(57)【要約】【目的】視認性に優れる自己発光形の発光器を備え、耐久性に優れ且つ着脱が容易で洗濯による故障を防ぐことのできる発光装置を備えた靴を提供する。【構成】点滅時間が一定時間経過するとオフになる消し忘れ防止回路と、オンオフスイッチが併用された点灯回路のスイッチ手段とが一体的に形成されて成る発光ユニットが、靴甲被の外側部表面に設けられた発光ユニット納入部に収容されている。前記発光ユニット納入部に被覆体を設け、前記オンオフスイッチ部に相対する位置の被覆体に飾りボタンを設けて、押すことで、点滅開始する。【選択図】      図１
2004194775.tif 000002
【特許請求の範囲】
【請求項１】
履用者の視認性を改善するための靴であって、
発光ユニットは、発光体と、電池と、前記発光体の点灯制御回路と、押すことによって作動する前記点灯回路のオンオフスイッチ手段とで、一体的に構成されてなり、
靴甲被の外側部表面に発光ユニット納入部が設けられ、前記発光ユニット納入部は、前記発光体と対応する部位が光透過部材によって形成された発光体納入部と、内通する連結横穴を備えた基板納入部と、で一体的に構成され、
前記基板納入部の上辺又は側辺の一片端が切欠して開口部を構成して、前記発光ユニットを前記開口部から着脱自在に挿入して前記発光ユニット納入部内に収容し、
前記基板納入部の少なくとも上縁部又は側縁部で被覆体の面ファスナーにより、係脱可能に重合装着され、前記被覆体が上方又は側方に持ち上げられることで前記基板納入部を開放可能にならしめると共に、
オンオフスイッチ部に相対する位置の被覆体に飾りボタンを設けていることを特徴とする発光装置を備えた靴。
【請求項２】
前記被覆体が、靴を締結される甲バンドベルト部材の一部として一体構成していることを特徴とする請求項１に記載の発光装置を備えた靴。
【請求項３】
前記発光ユニットの点灯制御回路は、オンオフスイッチを１回押すと点灯し、さらに点灯中にオンオフスイッチを１回押すと不点灯になる一連の動作を繰り返すように制御されていることを特徴とする請求項１又は２に記載の発光装置を備えた靴。
【請求項４】
前記点灯制御回路は、オンオフスイッチを１回押すと点灯し、消し忘れ防止用に点灯時間が一定時間経過すると、オンオフスイッチを押さなくても不点灯になるように制御されていることを特徴とする請求項１、２又は３に記載の発光装置を備えた靴。
【発明の詳細な説明】
【０００１】
【発明の属する技術分野】
本発明は、靴に関し、履用者を目立たせるべく点滅点灯する発光装置を備えた靴に関する。
【０００２】
【従来の技術】
従来、歩行者が夜間に外出する際に走行中の車両等にその存在を知らせて事故を未然に防ぐために発光装置を備える靴に関し、多くの発明がなされている。
【０００３】
第一に、電池切れの心配を無くし、自己発光手段を備える靴で、圧電素子を靴底に組み込み着地時や蹴地時に発光するようにした靴（例えば、特許文献１参照。）。
第二に、車両のヘッドライトの照射光を検知する感知装置と電源及び光輝する発光体をソールに設けた靴（例えば、特許文献２参照。）。
第三に、靴の甲部の開口部が羽根状で面ファスナーで固定するタイプの靴で、甲被の表面側に発光体と電池と、発光体の点灯制御回路と、振動センサーによる前記点灯回路のスイッチ手段とを一体的に形成した発光ユニットを有する靴（例えば、特許文献３参照。）。
これらは、それぞれに甲被に装着又は靴底に埋設されて構成されている。
【０００４】
（特許文献１）  特開平０６−２０９８０７（明細書  請求項１）
（特許文献２）  特開平１０−２１５９０３（明細書  請求項２）
（特許文献３）  特開平０８−３３２１０２（明細書  請求項１）
【０００５】
【発明が解決しようとする課題】
第一の方法および第二の方法は、靴底に装着しているので、履用中に、履用者の体重荷重により、点灯制御回路と発光体を結ぶ結線に断線のおそれがあると共に、発光体及び点灯制御回路を取り外すことができないために靴の洗濯等によって故障を生ずることがある。また、靴が不要になり廃棄する際に、発光体および点灯制御回路を分別して廃棄することが困難であって環境汚染のおそれがあるといった問題がある。
【０００６】
第三の方法は、利用できる靴構造が限定されており、発光に関わる各部品を発光ユニットとして、一体化し、取り外しを簡単にした方法であるが、振動センサーによる故障や振動が与えられた時のみ発光体が点滅するので、夜間、立ち止まった時や自転車に乗っている時などは発光しない。又、昼間も振動を与えると発光するので、電池の消耗が早くなるといった問題がある。
【０００７】
【課題を解決するための手段】
本発明は、上記問題に鑑みてなされたものであって、どのような靴の構造であっても利用でき、視認性に優れる自己発光型の発光体を備え、電池の消耗を減らし、振動センサーが無いのでスイッチ構成が簡単で故障も少なく、スイッチに相対して設けられたボタンにより簡易にスイッチのオンオフが出来、耐久性に優れ且つ着脱が容易で洗濯による故障や環境汚染の問題を防ぐことのできる発光装置を備えた靴を提供することを目的とする。
【０００８】
上記目的を達成する本発明の発光装置を備えた靴は、
発光ユニットは、発光体と、電池と、前記発光体の点灯制御回路と、押すことによって作動する前記点灯回路のオンオフスイッチ手段と、で一体的に構成されてなり、
靴甲被の外側部表面に発光ユニット納入部が設けられ、前記発光ユニット納入部は、前記発光体と対応する部位が光透過部材によって形成された発光体納入部と、内通する連結横穴を備えた基板納入部と、で一体的に構成され、
前記基板納入部の上辺又は側辺の一片端が切欠して開口部を構成して、前記発光ユニットを前記開口部から着脱自在に挿入して前記発光ユニット納入部内に収容し、
前記基板納入部の少なくとも上縁部又は側縁部で被覆体の面ファスナーにより、係脱可能に重合装着され、前記被覆体が上方又は側方に持ち上げられることで前記基板納入部を開放可能にならしめると共に、
オンオフスイッチ部に相対する位置の被覆体に飾りボタンを設けている構成としたものである。
【０００９】
前記被覆体が、靴を締結される甲バンドベルト部材の一部として一体構成していることを特徴としている。
【００１０】
前記発光ユニットの点灯制御回路は、オンオフスイッチを１回押すと点灯し、さらに点灯中にオンオフスイッチを１回押すと不点灯になる一連の動作を繰り返すように制御されていることを特徴としている。
【００１１】
前記点灯制御回路は、オンオフスイッチを１回押すと点灯し、消し忘れ防止用に点灯時間が一定時間経過すると、オンオフスイッチを押さなくても不点灯になるように制御されていることを特徴としている。
【００１２】
前記点灯制御回路は、オンオフスイッチを１回押すと点灯し、点灯時間が一定時間経過すると、オンオフスイッチを押さなくても不点灯になるように制御され、且つ点灯中にオンオフスイッチを１回押すと不点灯になるように制御されていることを特徴としている。
【００１３】
本構成によれば、基板納入部は被覆体の面ファスナーにより係脱可能に重合装着され、収容した発光ユニットを脱落不能に保持できると共に、被覆体を外すことでケース部材の開口部が開放され発光ユニットの着脱が可能となり、又、オンオフスイッチ部に相対する位置に、甲バンド部材の一部またはポケットカバー等の被覆体に飾りボタンが設けられ、スイッチングが簡単に出来、夜間の必要時は、歩行や立ち止まりでも確実に作動すると共に、点灯時間が一定時間経過すると、オンオフスイッチを押さなくても不点灯になるように制御された消し忘れ防止回路により合理的に点灯制御できる。
【００１４】
耐久性、通電防止および点灯制御回路の防水のために、発光体と、電池と、前記発光体の点灯制御回路と、点灯時間が一定時間経過するとオフになる消し忘れ防止回路と、オンオフスイッチが併用された点灯回路のスイッチ手段とが一体的に形成されて成る発光ユニットは、表面の金属部に透明な可橈性のある比較的硬質の絶縁樹脂でシールドを施している。
又、破損防止とケース部材に内通する連結横穴への挿入を容易にするために発光体および発光体と点灯回路のスイッチ手段を繋ぐコード並びにコードの取りつけ部分を透明な可橈性のある比較的硬質の絶縁樹脂で樹脂固めを施している。
【００１５】
【発明の実施の形態】
図１は本発明に係る発光装置を備えた靴の一実施例の外側部の側面図であり、図２はそのＢ−Ｂ断面に相当する発光装置部位の断面図である。
【００１６】
図１中、(１)は、靴いわゆるジュニアシューズであって、靴甲被(１４)を備えた甲部の外側部表面に、発光体納入部(２)が設けられいる。前記発光体納入部(２)に内通する連結横穴(３)を備えた基板納入部(４)が固着されて、前記基板納入部(４)は上縁部で甲バンド部材またはポケットカバー等の被覆体(５)の面ファスナーにより、係脱可能に重合装着されている。
甲バンド部材またはポケットカバー等の被覆体(５)が上側に持ち上げられることで前記基板納入部(４)を開放可能にならしめると共に、前記基板納入部(４)に発光体(６)と、電池(７)と、前記発光体(６)の点灯制御回路と、オンオフスイッチ(８)の点灯回路のスイッチ手段とが一体的に形成されて成る発光ユニット(９)が収容されている。
オンオフスイッチ(８)に相対する位置に甲バンド部材またはポケットカバー等の被覆体(５)に飾りボタン(１０)を設け、前記発光体納入部(２)は、発光体(６)と対応する部位が光透過部材(１１)によって形成されている。
前記飾りボタン(１０)の補助として、スイッチを軽く押しても点灯するように、オンオフスイッチ(８)に相対する位置の基板納入部(４)表面に、柔軟な樹脂ボタンを設置する方が好ましい。
前記発光体(６)は発光ダイオードを備えている。
【００１７】
前記オンオフスイッチ(８)に相対する位置の被覆体に飾りボタン(１０)を設けており、靴の履用中は靴内部に足が存在する為、飾りボタン(１０)を押すとオンオフスイッチ(８)を押したことになる。
前記発光体(６)の点灯制御回路は、飾りボタン(１０)を１回押すと点滅開始し、さらに点滅中に飾りボタン(１０)を１回押すと不点滅になる一連の動作を繰り返すように制御されている点灯回路のスイッチ手段単独で使用される。
さらに、前記点灯制御回路は、飾りボタン(１０)を１回押すと点滅開始し、消し忘れ防止用に点滅時間が一定時間（例えば６０分）経過すると、飾りボタン(１０)を押さなくても不点滅になるように制御されている。消し忘れ防止回路単独でも使用される。
しかし、前記点灯制御回路は、飾りボタン(１０)を１回押すと点滅し、点滅時間が一定時間（例えば６０分）経過すると、飾りボタン(１０)を押さなくても不点滅になるように制御され、且つ点滅中に飾りボタン(１０)を１回押すと不点滅になるように制御されている。このような点灯制御回路の併用が最も好ましい。
【００１８】
図３は、発光ユニット(９)の平面図、図４はそのＡ−Ａ断面に相当する発光ユニットの断面図である。
発光ユニットは、平面形状が方形の基板(１２)の下方に、円柱状のリチウム電池(７)が配置され、基板(１２)上方に点灯制御回路とオンオフスイッチと消し忘れ防止回路とが配置され、発光体(６)がコード(１３)で繋がれた構成である。
コード(１３)で繋がれているので、できるだけ靴の履き口に近い場所付近に点灯回路のオンオフスイッチ(８)手段が設置できるし、発光体(６)も靴の履用者の最も目立つ位置又はファッション的に適切な位置に設置できる。
尚、電池(７)はリチウム電池に限るものではなく、又、発光体(６)の発光色は、視認性の観点からは高輝度発光の赤色系が好ましいがそれに限らず任意に選択可能なものである。
【００１９】
又、破損防止と基板納入部(４)に内通する連結横穴(３)への挿入を容易にすること及び基板(１２)の金属部分に手で触れると通電するのを防止することのために、発光体(６)および発光体(６)と点灯回路のオンオフスイッチ(８)手段を繋ぐコード(１３)並びにコード(１３)の取りつけ部分を透明な可橈性及び絶縁性のあるエポキシ樹脂等でシールド樹脂固めを施した。
【００２０】
発光ユニット(９)のリチウム電池の交換は発光ユニット(９)を取り外して行うことができる。靴の洗濯も同様にして発光ユニット(９)を取り外して行える。
【００２１】
【発明の効果】
本発明の発光装置および前記発光装置の装着方法は、どのような靴の構造であっても利用でき、靴甲被の外側部表面に設置され視認性に優れる自己発光型の発光体を備え、消し忘れ防止回路により電池の消耗を減らし、オンオフスイッチに相対して設けられた飾りボタンにより簡易にスイッチングが出来、発光に関わるすべての部品をユニット化しており、耐久性に優れ且つ着脱が容易で洗濯による故障や環境汚染の問題を防ぐことができる。
【図面の簡単な説明】
【図１】本発明に係る発光装置を備えた靴の一実施例の外側部の側面図である。
【図２】図１のＢ−Ｂ断面に相当する発光装置部位の断面図である。
【図３】発光ユニットの平面図
【図４】図３のＡ−Ａ断面に相当する発光ユニットの断面図である。
【符号の説明】
１．靴
２．発光体納入部
３．連結横穴
４．基板納入部
５．被覆体
６．発光体
７．電池
８．オンオフスイッチ
９．発光ユニット
１０．ボタン
１１．光透過部材
１２．基板
１３．コード
１４．靴甲被
【図１】
2004194775.tif 000003
【図２】
2004194775.tif 000004
【図３】
2004194775.tif 000005
【図４】
2004194775.tif 000006